(57)【要約】      （修正有）【課題】装着性に優れ、本体部の経血スポットの全域を被覆する吸収性物品を提供する。【解決手段】ウイング２０の基端部21を本体１０の両側部の透液性トップシート１１に接合し、先端部２２の対向辺を曲線形状辺とし、先端部２２の非対向辺を直線形状辺とし、ウイング２０を透液性トップシート１１の表面に折り畳み、先端部２２の対向片を相互に嵌合し、透液性トップシート１１の表面に矩形状の覆部２４を形成する。【選択図】図４
2010227241.tif 000002
【特許請求の範囲】
【請求項１】
透液性トップシートと不透液性バックシートと前記両シートの間に挟まれた吸収体とからなる本体と、前記本体の両側部に設けられて前記本体の幅方向の外方に延出するウイングとを有する吸収性物品において、
前記ウイングは、左右非対称とされ、
前記ウイングの基端部は、前記透液性トップシートの両側部表面に接合され、
前記ウイングの先端部の対向辺は、曲線形状辺とされ、前記ウイングの先端部の非対向辺は、直線形状辺とされ、
前記ウイングは、前記ウイングを前記透液性トップシートの表面に折り畳み、前記先端部の前記対向片を相互に嵌合させ、前記透液性トップシートの表面に矩形状の覆部を形成し、
前記本体の裏面には、第１粘着域を有し、前記ウイングの外面には、第２粘着域を有することを特徴とする吸収性物品。
【請求項２】
前記ウイングの先端部の厚みは、前記ウイングの基端部の厚みの２〜３倍である請求項１記載の吸収性物品。
【請求項３】
前記ウイングの基端部の折り部は、幅方向に伸縮可能とされている請求項１又は２に記載の吸収性物品。
【請求項４】
前記透液性トップシートの前記ウイングの基端部の接合部には、前記接合部に沿ってヒートシールまたは超音波シールが形成されている請求項１〜３の何れか１項に記載の吸収性物品。
【請求項５】
前記第２粘着域は、前記ウイングの外面の基端部の近傍に形成され、幅方向に連続しない請求項１〜４の何れか１項に記載の吸収性物品。
【請求項６】
包装用シートと、吸収性物品とからなる包装体において、
前記吸収性物品は、透液性トップシートと不透液性バックシートと前記両シートの間に挟まれた吸収体とからなる本体と、前記本体の両側部に設けられて前記本体の幅方向の外方に延出するウイングとを有し、
前記ウイングは、左右非対称とされ、
前記ウイングの基端部は、前記透液性トップシートの両側部表面に接合され、
前記ウイングの先端部の対向辺は、曲線形状辺とされ、前記ウイングの先端部の非対向辺は、直線形状辺とされ、
前記ウイングは、前記ウイングを前記透液性トップシートの表面に折り畳み、前記先端部の前記対向片を相互に嵌合させ、前記透液性トップシートの表面に矩形状の覆部を形成し、
前記本体の裏面には、第１粘着域を有し、前記ウイングの外面には、第２粘着域を有し、
前記包装用シートは、前記本体の両側部及び上下端部から延出し、
前記第１粘着域は、第１剥離紙で被覆され、前記第１剥離紙の外面は、前記包装用シートの内面に剥離不能に接合され、
前記第２粘着域は、第２剥離紙で被覆され、前記第２剥離紙の外面は、上下端部から延出した前記包装用シートの内面に剥離不能に接合され、
前記包装用シートと前記吸収性物品とを、前記透液性トップシートを内側にして折り重ね、前記包装用シートの両側部を接合していることを特徴とする包装体。
【請求項７】
前記第２剥離紙には、上辺から下片に延在する切れ目線が設けられている請求項６記載の包装体。
【請求項８】
前記切れ目線は、前記ウイングの前記曲線形状辺と同一曲線形状である請求項７記載の包装体。
【請求項９】
前記ウイングの先端部の厚みは、前記ウイングの基端部の厚みの２〜３倍である請求項６〜８記載の何れか１項に記載の包装体。
【請求項１０】
前記ウイングの基端部の折り部は、幅方向に伸縮可能とされている請求項６〜９記載の何れか１項に記載の包装体。
【請求項１１】
前記透液性トップシートの前記ウイングの基端部の接合部には、前記接合部に沿ってヒートシールまたは超音波シールが形成されている請求項６〜１０の何れか１項に記載の包装体。
【請求項１２】
前記第２粘着域は、前記ウイングの外面の基端部の近傍に形成され、幅方向に連続しない請求項６〜１１の何れか１項に記載の包装体。
【発明の詳細な説明】
【技術分野】
【０００１】
本発明は、吸収性物品及び吸収性物品の包装体に関するものである。
【背景技術】
【０００２】
生理用ナプキン、パンティライナー、尿取りパッド等として使用される吸収性物品は、本体の長手方向の両側部にウイングを有するものが一般的である。
未装着時においては、ウイングは、本体の使用面側に折り畳まれ、本体の表面を保護する。また、装着時においては、これらのウイングは、下着のクロッチ部の下側に折り返され、ウイングに設けられた粘着域を下着のクロッチ部に接着させることにより、装着時における吸収性物品のズレを防止し、経血、尿等の排泄物の吸収性物品からの漏れを防止する。
【０００３】
これらのウイングは、吸収性物品の本体を形成するトップシートとバックシートとを接合し形成するものが一般的であった（例えば、特許文献１参照）。
しかし、同ウイングは、左右対象な形状に形成されていることから、装着時において、同ウイングを下着のクロッチ部の下側に折り返す際に、装着者の手先が干渉し合うことから装着が困難であり改善が求められていた。
また、同ウイングを本体の使用面側である表面に折り畳んだ場合、本体の表面の経血スポットの全域を被覆し保護することができないことから、本体の表面の経血スポットの一部に外傷が存在する恐れもあった。
さらに、本体を形成するトップシートとバックシートとを接合してウイングを形成する場合、本体とウイングに使用されない多量のトップシートとバックシートとを切除する必要があることから、経済的見地から改善が求められていた。
【０００４】
多量のトップシートとバックシートとを廃棄する問題を改善するため、本体とは別体の部材でウイングを形成する試みがなされている（例えば、特許文献２参照）。
しかし、本体とは別体の部材でウイングを形成した場合にあっては、同ウイングを本体の両側部の対象な位置に接合するため、左右一方のウイング（例えば、左側のウイング）を左右他方のウイング（例えば、右側のウイング）に対して、所定量早送りする送り装置を製造設備に設ける必要があり、製造設備が複雑、且つ、大がかりになっていた。
【０００５】
一般的に、装着前の吸収性物品は、包装用シートにより個別包装され、包装用シートは、吸収性物品の本体の粘着域を覆う剥離紙およびウイングの粘着域を覆う剥離紙にそれぞれ剥離不能に接合されている。
装着時に吸収性物品を包装体から取り出す場合、粘着域を覆う剥離紙を個別に取り外す必要はなく、包装用シートを取り外すことにより剥離紙も同時に吸収性物品から取り外される包装体が提案されていた（例えば、特許文献３参照）。
しかし、ウイングの粘着部を覆っている同剥離紙には、同剥離紙を幅方向に分断する切れ目線が設けられていないことから、吸収性物品を包装体から取り出した場合にウイングにねじれる等が生じる恐れがあり、装着性の改善が求められていた。
【先行技術文献】
【特許文献】
【０００６】
【特許文献１】特開２００１―６１８８４号公報
【特許文献２】特開２００４―２４８７７４号公報
【特許文献３】特開平９―１０２５７号公報
【発明の概要】
【発明が解決しようとする課題】
【０００７】
そこで、本発明の主たる課題は、装着性に優れ、経血スポットの広範囲を被覆するウイングを有する吸収性物品を提供することにある。
【０００８】
本発明の更なる課題は、装着時のウイングの変形を抑制する包装体を提供することにある。
【課題を解決するための手段】
【０００９】
上記課題を解決した本発明は次記のとおりである。
＜請求項１記載の発明＞
透液性トップシートと不透液性バックシートと前記両シートの間に挟まれた吸収体とからなる本体と、前記本体の両側部に設けられて前記本体の幅方向の外方に延出するウイングとを有する吸収性物品において、
前記ウイングは、左右非対称とされ、
前記ウイングの基端部は、前記透液性トップシートの両側部表面に接合され、
前記ウイングの先端部の対向辺は、曲線形状辺とされ、前記ウイングの先端部の非対向辺は、直線形状辺とされ、
前記ウイングは、前記ウイングを前記透液性トップシートの表面に折り畳み、前記先端部の前記対向片を相互に嵌合させ、前記透液性トップシートの表面に矩形状の覆部を形成し、
前記本体の裏面には、第１粘着域を有し、前記ウイングの外面には、第２粘着域を有することを特徴とする吸収性物品。
【００１０】
（作用効果）
本発明者の知見によれば、ウイングの基端部を本体の透液性トップシートの両側部表面に接合する。
これにより、本体とは、別体の部材で製作されたウイングを容易に本体の透液性トップシートに接合でき、且つ、ウイングを本体の透液性トップシートの表面に容易に折り畳むことができる。
【００１１】
また、本請求項においては、ウイングの先端部の対向辺を曲線形状辺とし、ウイングの先端部の非対向辺を直線形状辺とし、ウイングを本体の透液性トップシートの表面に折り畳み、先端部の対向片を相互に嵌合させ、透液性トップシートの表面に矩形状の覆部を形成する。
これにより、ウイングを下着のクロッチ部の下側に折り返す場合に、装着者の手先が相互に干渉し合うことがなく装着性が格段に向上し、且つ、本体の透液性トップシートの経血スポットの広範囲をウイングで被覆保護できることから、本体の透液性トップシートの経血スポットに外傷が入ることを防止できる。  
【００１２】
＜請求項２記載の発明＞
前記ウイングの先端部の厚みは、前記ウイングの基端部の厚みの２〜３倍である請求項１記載の吸収性物品。
【００１３】
（作用効果）
ウイングの先端部の厚みが、ウイングの基端部の厚みに対し２〜３倍であることから、下着のクロッチ部の下側にウイングの折り返しが一層容易に行え、装着性がさらに向上する。
【００１４】
＜請求項３記載の発明＞
前記ウイングの基端部の折り部は、幅方向に伸縮可能とされている請求項１又は２に記載の吸収性物品。
【００１５】
（作用効果）
ウイングの基端部の折り部が、幅方向に伸縮可能とされていることから、下着のクロッチ部の好適な位置にウイングを取り付けることができ、経血、尿等の排泄物の防漏性がより一層向上する。
【００１６】
＜請求項４記載の発明＞
前記透液性トップシートの前記ウイングの基端部の接合部には、前記接合部に沿ってヒートシールまたは超音波シールが形成されている請求項１〜３の何れか１項に記載の吸収性物品。
【００１７】
（作用効果）
本体の透液性トップシートのウイングの基端部の接合部に、接合部に沿ってヒートシールまたは超音波シールが合わせて形成されていることから、液性トップシートとウイングの基端部との接合力が高まり、且つ、本体の幅方向外方からの経血、尿等の排泄物の防漏性がさらに向上する。
【００１８】
＜請求項５記載の発明＞
前記第２粘着域は、前記ウイングの外面の基端部の近傍に形成され、幅方向に連続しない請求項１〜４の何れか１項に記載の吸収性物品。
【００１９】
（作用効果）
第２粘着域が、ウイングの外面の基端部の近傍にのみ形成され幅方向に連続しないことから、ウイングの先端部の対向辺を曲線形状辺に切断、ウイングの先端部の非対向辺を直線形状辺に切断加工する場合に、加工治具の刃先に不要な粘着部材が付着せず、ウイングの切断加工が効率よく行うことができる。
【００２０】
＜請求項６記載の発明＞
包装用シートと、吸収性物品とからなる包装体において、
前記吸収性物品は、透液性トップシートと不透液性バックシートと前記両シートの間に挟まれた吸収体とからなる本体と、前記本体の両側部に設けられて前記本体の幅方向の外方に延出するウイングとを有し、
前記ウイングは、左右非対称とされ、
前記ウイングの基端部は、前記透液性トップシートの両側部表面に接合され、
前記ウイングの先端部の対向辺は、曲線形状辺とされ、前記ウイングの先端部の非対向辺は、直線形状辺とされ、
前記ウイングは、前記ウイングを前記透液性トップシートの表面に折り畳み、前記先端部の前記対向片を相互に嵌合させ、前記透液性トップシートの表面に矩形状の覆部を形成し、
前記本体の裏面には、第１粘着域を有し、前記ウイングの外面には、第２粘着域を有し、
前記包装用シートは、前記本体の両側部及び上下端部から延出し、
前記第１粘着域は、第１剥離紙で被覆され、前記第１剥離紙の外面は、前記包装用シートの内面に剥離不能に接合され、
前記第２粘着域は、第２剥離紙で被覆され、前記第２剥離紙の外面は、上下端部から延出した前記包装用シートの内面に剥離不能に接合され、
前記包装用シートと前記吸収性物品とを、前記透液性トップシートを内側にして折り重ね、前記包装用シートの両側部を接合していることを特徴とする包装体。
【００２１】
（作用効果）
本発明者の知見によれば、ウイングの基端部を本体の透液性トップシートの両側部表面に接合する。
これにより、本体とは、別体の部材で製作されたウイングを容易に本体の透液性トップシートに接合でき、且つ、ウイングを本体の透液性トップシートの表面に容易に折り畳むことができる。
【００２２】
また、本請求項においては、ウイングの先端部の対向辺を曲線形状辺とし、ウイングの先端部の非対向辺を直線形状辺とし、ウイングを本体の透液性トップシートの表面に折り畳み、先端部の対向片を相互に嵌合させ、透液性トップシートの表面に矩形状の覆部を形成する。
これにより、ウイングを下着のクロッチ部の下側に折り返す場合に、装着者の手先が相互に干渉し合うことがなく装着性が格段に向上し、且つ、本体の透液性トップシートの経血スポットの広範囲をウイングで被覆保護できることから、本体の透液性トップシートの経血スポットに外傷が入ることを防止できる。
【００２３】
さらに、本請求項においては、第１粘着域を被覆する第１剥離紙が包装用シートの内面に剥離不能に接合され、第２粘着域を被覆する第２剥離紙が上下端部から延出した包装用シートの内面に剥離不能に接合されている。
これにより、吸収性物品を包装体から取り出す場合に、第１剥離紙及び第２剥離紙を個別に取り外すことなく、包装用シートを取り外すことにより吸収性物品を包装体から取り出すことができる。
【００２４】
＜請求項７記載の発明＞
前記第２剥離紙には、上辺から下片に延在する切れ目線が設けられている請求項６記載の包装体。
【００２５】
（作用効果）
第２剥離紙の上辺から下片に延在する切れ目線が設けられていることから、吸収性物品を包装体から取り出す場合に、ウイングにねじれ等により生じる形状変形を抑制でき、装着性がさらに向上する。
【００２６】
＜請求項８記載の発明＞
前記切れ目線は、前記ウイングの前記曲線形状辺と同一曲線形状である請求項７記載の包装体。
【００２７】
（作用効果）
切れ目線が、ウイングの先端部の対向辺の曲線形状辺と同一曲線形状であることから、吸収性物品を包装体から取り出す場合に、ウイングにねじれ等により生じる形状変形を抑制でき、装着性がより一層向上する。
また、ウイングに第２粘着域を形成した後、ウイングと第２剥離紙を積層し、ウイングの先端部の対向辺の曲線形状辺と第２剥離紙の切れ目線を同時に加工、ウイングの先端部の非対向辺を直線形状辺と第２剥離紙の上下辺を同時に加工することができ、効率的にウイングと第２剥離紙を製造することができる。
【００２８】
＜請求項９記載の発明＞
前記ウイングの先端部の厚みは、前記ウイングの基端部の厚みの２〜３倍である請求項６〜８記載の何れか１項に記載の包装体。
【００２９】
（作用効果）
ウイングの先端部の厚みが、ウイングの基端部の厚みに対し２〜３倍であることから、下着のクロッチ部の下側にウイングの折り返しが一層容易に行え、装着性がさらに向上する。
【００３０】
＜請求項１０記載の発明＞
前記ウイングの基端部の折り部は、幅方向に伸縮可能とされている請求項６〜９記載の何れか１項に記載の包装体。
【００３１】
（作用効果）
ウイングの基端部の折り部が、幅方向に伸縮可能とされていることから、下着のクロッチ部の好適な位置にウイングを取り付けることができ、経血、尿等の排泄物の防漏性がより一層向上する。
【００３２】
＜請求項１１記載の発明＞
前記透液性トップシートの前記ウイングの基端部の接合部には、前記接合部に沿ってヒートシールまたは超音波シールが形成されている請求項６〜１０の何れか１項に記載の包装体。
【００３３】
（作用効果）
本体の透液性トップシートのウイングの基端部の接合部に、接合部に沿ってヒートシールまたは超音波シールが合わせて形成されていることから、液性トップシートとウイングの基端部との接合力が高まり、且つ、本体の幅方向外方からの経血、尿等の排泄物の防漏性がさらに向上する。
【００３４】
＜請求項１２記載の発明＞
前記第２粘着域は、前記ウイングの外面の基端部の近傍に形成され、幅方向に連続しない請求項６〜１１の何れか１項に記載の包装体。
【００３５】
（作用効果）
第２粘着域が、ウイングの外面の基端部の近傍にのみ形成され幅方向に連続しないことから、ウイングの先端部の対向辺を曲線形状辺に切断、ウイングの先端部の非対向辺を直線形状辺に切断加工する場合に、加工治具の刃先に不要な粘着部材が付着せず、ウイングの切断加工が効率よく行うことができる。
【発明の効果】
【００３６】
以上のとおり、本発明によれば、装着性に優れ、経血スポットの広範囲を被覆するウイングを有する吸収性物品を提供することができる。
【００３７】
また、本発明によれば、装着時のウイングの変形を抑制する包装体を提供することができる。
【図面の簡単な説明】
【００３８】
【図１】ウイングを展開した吸収性物品の正面図である。
【図２】ウイングを展開した吸収性物品の裏面図である。
【図３】図２のＸ−Ｘ線矢視図である。
【図４】ウイングを折り畳んだ吸収性物品の正面図である。
【図５】ウイングの拡大図である。
【図６】基端部が伸縮可能とされたウイングの拡大図である。
【図７】包装前の包装体の正面図である。
【図８】包装体の包装過程の状態図である。
【図９】包装体の外観図である。
【発明を実施するための形態】
【００３９】
以下、本発明の一実施形態について添付図面を参照しながら詳説する。なお、本発明の用語のうち「幅方向」とは、図１の左右方向を意味し、「長手方向」とは、図１の上下方向を意味する。
また、ウイングの「基端部」とは、透液性トップシートに接合される部位を意味し、ウイングの「先端部」とは、装着時に下着のクロッチ部の下側に折り返される部位を意味し、ウイングの「折り部」とは、先端部の基端部の近傍領域を意味する。
【００４０】
＜吸収性物品＞
図１〜図４は、本発明に係る吸収性物品１を示している。この吸収性物品１は、本体１０と、本体１０の長手方向の両側部に幅方向の外方に延出する左右一対のウイング２０とを有するものである。
各部の寸法は適宜定めることができ、例えば、吸収性物品１の全長を１８０〜２４０ｍｍ程度、ウイングの折り畳み時における吸収性物品１の全幅を６０〜９０ｍｍ程度にでき、このような場合、左右一対のウイング２０で形成される矩形状の覆部２４の全長を６０〜８０ｍｍ程度、矩形状の覆部２４の全幅を６０〜９０ｍｍ程度にすれば、左右一対のウイング２０により吸収性物品１の経血スポットの広範囲の領域を被覆し保護することができる。
【００４１】
本体１０は、透液性トップシート１１と、不透液性バックシート１２との間に、吸収体１３が介在されており、透液性トップシート１１と、不透液性バックシート１２とは、吸収体１３が存在しない吸収体１３の外周域でホットメルト接着剤により接合され、エンドフラップ１６及びサイドフラップ１７を形成している。
また、不透液性バックシート１２の外表面には、装着時に下着のクラッチ部の内面に接着する第１粘着域１４が設けられ、剥離可能な第１剥離紙１５で被覆されている。
さらに、本実施形態においては、第１粘着域１４は、ホットメルト接着剤で形成されているが特段の制限はなく、メカニカルファスナー、メカニカルファスナーとホットメルト接着剤の組合せを選択することも可能である。
【００４２】
透液性トップシート１１としては、有孔または無孔の不織布や穴あきプラスチックシート等を使用できる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を使用することができる。
また、透液性トップシート１１と吸収体１３との間には、吸収体１３に吸収された経血の逆戻りを防止するためセカンドシートを介在させることができる。セカンドシートとしては、保水性が低く且つ透液性の高い素材であるメッシュフィルム等を使用できる。
さらに、本体１０のサイドフラップ１７には、経血の幅方向の漏れを防止するため左右一対のバリヤシート１８を設けることができる。バリヤシート１８としては、プラスチックシートやメルトブローン不織布を使用できるが、肌への感触性の点で、不織布にシリコンなどにより撥水処理をしたものが好適である。
バリヤシート１８の先端部分には、細長状弾性部材１９が長手方向に沿って伸張状態でホットメルト接着剤等により固定されている。この細長状弾性部材１９としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を使用することができる。
バリヤシート１８は、幅方向外側の部分が長手方向全体にわたり本体１０の透液性トップシート１１に接合されており、長手方向の両端部が本体１０の透液性トップシート１１に接合され、長手方向の両端部間では本体１０の透液性トップシート１１に接合されず非固定である。この非固定部分が、装着時に起立し経血の幅方向からの漏れを防止する。
【００４３】
不透液性バックシート１２としては、ポリエチレンフィルム等の他、ムレ防止の点から遮水性を損なわずに透湿性を備えたシートを使用できる。遮水・透湿性シートとしては、ポリエチレンやポリプロピレン等のオレフィン樹脂中に無機充填材を溶融混練してシートを形成した後、一軸または二軸方向に延伸することにより得られる微多孔性シート等を使用することができる。
【００４４】
吸収体１３としては、パルプ繊維の積繊体、セルロースアセテート等のフィラメントの集合体、あるいは不織布を基本とし、必要に応じて粒子状等の高吸収性ポリマーを混合、固着等してなるものを使用できる。
また、吸収体１３の形状は、相対的に前側の部分が後側の部分よりも幅広な帯状、あるいは長方形状、台形状等、適宜の形状とすることができ、装着時における、吸収体１３のねじれ、形状変形を防止するため、クレープ紙や不織布等によって一体的に包む構造とされている。不織布としては、ポリエチレンやポリプロピレン等のポリオレフィンや、ポリエチレンテレフタレート等のポリエステル、ナイロン（登録商標）等のポリアミド等の熱可塑性ポリマー材料からなる繊維を構成繊維としたものを使用することができる。
なお、これらの繊維は、芯鞘型あるいはサイドバイサイド型等の複合繊維としても良い。
さらに、吸収体１３には、吸収された経血を吸収体１３の中央部分に保持するため、経血スポットを取り囲むエンボスを形成するのが好適である。
【００４５】
図５，６は、本体１０の表面に折り畳んだ左右一対のウイング２０を示している。ウイング２０は、本体１０とは別体のウイングシート２８から製造されている。
ウイングシート２８としては、有孔または無孔の不織布や穴あきプラスチックシート等を使用できる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を使用することができる。
また、複数のウイングシート２８を積層し、ウイング２０の先端部２２の厚みを、基端部２１の厚みに対し２〜３倍の厚みにした場合、ウイング２０の先端部２２を容易に把持することができ、装着性を高めることができる。
さらに、ウイング２０の折り部２３に幅方向に伸縮可能な伸縮部材シート２９を使用した場合、下着のクロッチ部の好適な位置にウイング２０を取り付けることができ、経血、尿等の排泄物の防漏性がより一層向上させることができる。
伸縮部材シート２９としては、ウレタン、細長状弾性部材を幅方向に沿って伸張状態で固定したウイングシート２８等を使用でき、ウイングシート２８の一部に伸縮部材シート２９を貼り合わせて形成できる。
【００４６】
左右一対のウイング２０は、それぞれ本体１０の長手方向の両側部に、より具体的には、本体１０の吸収体１３が存在しない長手方向の両側部のサイドフラップ１７の透液性トップシート１１の表面に、ウイング２０の基端部２１がホットメルト接着剤により接合されている。
なお、透液性トップシート１１とウイング２０の基端部２１の接合部に沿ってヒートシール、超音波シール加工を行うことにより、ウイング２０の基端部２１と透液性トップシート１１との接合力を高めることができる。
【００４７】
左右一対のウイング２０は、それぞれ対向するウイング２０の先端部２２の対向辺が曲線形状に切断され、ウイング２０の先端部２２の非対向辺は直線形状に切断されている。
左右一対のウイング２０を本体１０の透液性トップシート１１の表面に折り畳んだ場合、左右一対のウイング２０は、それぞれ対向するウイング２０の先端部２２の対向辺においてそれぞれ適合し、大きな隙間を有することなく嵌合し、透液性トップシート１１の表面の経血スポット状に矩形状の覆部を形成する。
ここで、「曲線形状」とは、好適には変曲点を有さないＳＩＮ曲線形状、ＣＯＳ曲線形状を意味し、図５，６に示した本実施形態においては、１／４周期のＳＩＮ曲線形状の曲線形状を示しているが、１／４周期、１／２周期、３／４周期、１／１周期のＳＩＮ曲線形状、２周期以上の形状のＳＩＮ曲線形状に切断してもよく、１／４周期、１／２周期、３／４周期、１／１周期のＣＯＳ曲線形状、２周期以上の形状のＣＯＳ曲線形状に切断してもよい。
曲線形状をＳＩＮ曲線形状、ＣＯＳ曲線形状にした場合、変曲点を有しないことから容易に切断加工が行うことができ好適である。
また、ウイング２０の先端部２２の対向辺を曲線形状に切断すると、直線状に形成した場合に比較し、クラッチ部の外面にウイング２０の折り返しが容易に行え、且つ、クラッチ部に接合される第２粘着域２５をウイング２０の基端部２１近傍の広い範囲に設けることができる。
【００４８】
ウイング２０の先端部２２の対向辺を曲線形状に切断することに替え、対向辺を曲線形状の幅方向に容易に分断可能なミシン目にすることもできる。幅方向に容易に分断可能なミシン目にした場合、本体１０のサイドフラップ１７の透液性トップシート１１の表面に、ウイング２０の基端部２１の接合が容易に行うことができ好適である。
【００４９】
左右一対のウイング２０の基端部２１の近傍の外面には、装着時に下着のクラッチ部の外面に接着する左右一対のウイング２０の幅方向に連続しない第２粘着域２５が設けられ、剥離可能な第２剥離紙２６で被覆されている。
また、本実施形態においては、第２粘着域２５は、ホットメルト接着剤で形成されているが特段の制限はなく、メカニカルファスナー、メカニカルファスナーとホットメルト接着剤の組合せを選択することも可能である。
【００５０】
＜包装体＞
図７〜図９は、本発明に係る吸収性物品の包装体３を示している。この包装体３は、吸収性物品１と包装用シート２とを有するものである。また、吸収性物品１と同一部材には同一符号を付している。
各部の寸法は適宜定めることができ、例えば、吸収性物品１の全長が１８０〜２４０ｍｍ程度、ウイングの折り畳み時における吸収性物品１の全幅が６０〜９０ｍｍ程度である場合、包装用シート２の長手方向長さを２４０〜３２０ｍｍ程度に、幅方向長さを８０ｍｍ〜１１０ｍｍにすることができる。
【００５１】
包装用シート２は、吸収性物品１の外周から幅方向及び長手方向に延出した矩形状のシートである。
包装用シート２としては、ポリエチレンやポリプロピレン等からなるプラスチックシートを使用でき、包装用シート２の長手方向の上端辺部には、止着テープ３０が取り付けられている。
【００５２】
吸収性物品１は、本体１０と左右一対のウイング２０を有し、本体１０は、透液性トップシート１１と、不透液性バックシート１２との間に、吸収体１３が介在されており、透液性トップシート１１と、不透液性バックシート１２とは、吸収体１３が存在しない吸収体１３の外周域でホットメルト接着剤により接合され、エンドフラップ１６及びサイドフラップ１７を形成している。
また、不透液性バックシート１２の外表面には、装着時に下着のクラッチ部の内面に接着する第１粘着域１４が設けられ、剥離可能な第１剥離紙１５で被覆されている。  
第１剥離紙１５としては、片面が離型性を有する薄手のクラフト紙、光沢紙、ポリエチレンやポリプロピレン等からなるプラスチックシートを使用できる。
【００５３】
左右一対のウイング２０は、本体１０とは別体のウイングシート２８から製造されている。
左右一対のウイング２０は、本体１０の吸収体１３が存在しない長手方向の両側部のサイドフラップ１７の透液性トップシート１１の表面に、ウイング２０の基端部２１がホットメルト接着剤により接合されている。
【００５４】
複数のウイングシート２８を積層し、ウイング２０の先端部２２の厚みを、基端部２１の厚みに対し２〜３倍の厚みにした場合、ウイング２０の先端部２２を容易に把持することができ、装着性を高めることができる。
また、ウイング２０の折り部２３に幅方向に伸縮可能な伸縮部材シート２９を使用した場合、下着のクロッチ部の好適な位置にウイング２０を取り付けることができ、経血、尿等の排泄物の防漏性がより一層向上させることができる。
さらに、透液性トップシート１１とウイング２０の基端部２１の接合部に沿ってヒートシール、超音波シール加工を行うことにより、ウイング２０の基端部２１と透液性トップシート１１との接合力を高めることができる。
【００５５】
左右一対のウイング２０は、それぞれ対向するウイング２０の先端部２２の対向辺が曲線形状に切断され、ウイング２０の先端部２２の非対向辺は直線形状に切断されている。
左右一対のウイング２０を本体１０の透液性トップシート１１の表面に折り畳んだ場合、左右一対のウイング２０は、それぞれ対向するウイング２０の先端部２２の対向辺においてそれぞれ適合し、大きな隙間を有することなく嵌合し、透液性トップシート１１の表面の経血スポット状に矩形状の覆部を形成してある。
ここで、「曲線形状」とは、好適には変曲点を有さないＳＩＮ曲線形状、ＣＯＳ曲線形状を意味する。
曲線形状をＳＩＮ曲線形状、ＣＯＳ曲線形状にした場合、変曲点を有しないことから容易に切断加工が行うことができ好適である。
また、ウイング２０の先端部２２の対向辺を曲線形状に切断すると、直線状に形成した場合に比較し、クラッチ部の外面にウイング２０の折り返しが容易に行え、且つ、クラッチ部に接合される第２粘着域２５をウイング２０の基端部２１近傍の広い範囲に設けることができる。
【００５６】
左右一対のウイング２０の基端部２１の近傍の外面には、装着時に下着のクラッチ部の外面に接着する左右一対のウイング２０の幅方向に連続しない第２粘着域２５が設けられ、剥離可能な第２剥離紙２６で被覆されている。
第２剥離紙２６としては、片面が離型性を有する薄手のクラフト紙、光沢紙、ポリエチレンやポリプロピレン等からなるプラスチックシートを使用できる。
【００５７】
第２剥離紙２６の形状及び切れ目線２７の形状については特段の制限はないが、本実施形態においては、第２剥離紙２６は、矩形状であり、第２剥離紙２６の上辺から下片まで延在する切れ目線２７が設けられている。
さらに詳述すると、第２剥離紙２６の形状は、左右一対のウイング２０を本体１０の透液性トップシート１１の表面に折り畳んだ場合に、左右一対のウイング２０が形成する矩形状の覆部２４と幅方向寸法、長手方向寸法が一致している。
また、第２剥離紙２６の切れ目線２７がなす曲線形状は、左右一対のウイング２０の先端部２２の対向辺の曲線形状に一致している。
第２剥離紙２６の切れ目線２７の曲線形状と、左右一対のウイング２０の先端部２２の対向辺の曲線形状とが一致していることから、吸収性物品１を包装体３から取り出す場合に、左右一対のウイング２０にねじれ等に起因する形状変形が発生することがなく、包装体３から取り出した吸収性物品１のウイング２０を容易に下着のクロッチ部の外面に折り返すことができる。
【００５８】
第２剥離紙２６の切れ目線２７に替え、幅方向に容易に分断可能なミシン目にすることもできる。幅方向に容易に分断可能なミシン目にした場合、第２剥離紙２６をウイング２０の外面に容易に接合でき、ウイング２０の外面を第２剥離紙２６で確実に被覆保護でき好適である。
また、ウイング２０と第２剥離紙２６を同時に製造した場合にあっても、本体１０のサイドフラップ１７の透液性トップシート１１の表面に、ウイング２０の基端部２１の接合が容易に行え、ウイング２０の外面を第２剥離紙２６で確実に被覆保護でき好適である。
【００５９】
第１剥離紙１５の外面は、ホットメルト接着剤により包装用シート２の内面に剥離不能に接合され、第２剥離紙２６の外面は、本体１０の長手方向の下端部から延出した包装用シート２の内面に剥離不能に接合される。
また、本実施形態においては、第１粘着域１４、第２粘着域２５は、ホットメルト接着剤で形成されているが特段の制限はなく、メカニカルファスナー、メカニカルファスナーとホットメルト接着剤の組合せを選択することも可能である。
【００６０】
吸収性物品１を包装用シート２で包装し包装体３とするには、図８、９に示すように、吸収性物品１の長手方向の下端部を吸収性物品１の表面に折り重ね、次に吸収性物品１の上端部を吸収性物品１の表面に折り重ね、止着テープ３０で固定し、包装用シート２の両側部をヒートシールし密閉にすることで得られる。
【産業上の利用可能性】
【００６１】
本発明は、生理用ナプキン、パンティライナー、尿取りパッド等として使用される吸収性物品全般に利用できるものである。
【符号の説明】
【００６２】
１…吸収性物品、２…包装用シート、３…包装体、１０…本体、１１…透液性トップシート、１２…不透液性バックシート、１３…吸収体、１４…第１粘着域、１５…第１剥離紙、１６…エンドフラップ、１７…サイドフラップ、２０…ウイング、２１…基端部、２２…先端部、２３…折り部、２４…覆部、２５…第２粘着域、２６…第２剥離紙、２７…切れ目線、２８…ウイングシート、２９…伸縮部材シート、３０…止着テープ
【図１】
2010227241.tif 000003
【図２】
2010227241.tif 000004
【図３】
2010227241.tif 000005
【図４】
2010227241.tif 000006
【図５】
2010227241.tif 000007
【図６】
2010227241.tif 000008
【図７】
2010227241.tif 000009
【図８】
2010227241.tif 000010
【図９】
2010227241.tif 000011